(57)【特許請求の範囲】
【請求項１】
ランドセルに取り付けられたバックルを備え、上記バックルには肩ベルトを装着するための肩ベルト装着部が設けられ、上記肩ベルト装着部には回動可能な第一のカムと第一のカムと互いに押し合うような弾性力が働くように構成された第二のカムを備え上記第一のカムには、肩ベルトの回動を第一のカムに伝えるための受け部が設けられており、上記バックルは弾性を有する素材で構成されると共に、先端部に互いに相対抗するように設けられた板状体を備えた一対の腕を備え，上記第一のカムと第二のカムは上記板状体の間に持されるように構成したことを特徴とする肩ベルト取り付け装置。
【発明の詳細な説明】
【技術分野】
【０００１】
本発明は、ランドセル等の肩ベルト取り付け装置に関するものである。
【背景技術】
【０００２】
従来のランドセルの肩ベルトはランドセル本体にさまざまな形態で取り付けられている。特許文献１の図１０において肩ベルトは金属製の三角形の環状体に取り付けられ自由に回動可能となっているとともに背負いやすさの観点から肩ベルトはランドセル本体に対して垂直上方に向けて固定できるようになっている。しかしながらこの構造は背負いやすい半面、学校のロッカーなどに収納する場合に肩ベルトが垂直に立っているためランドセルの背中側に密着させて折りたためないために収納が困難で、それを繰り返すことで肩ベルトが破損してしまう問題も発生している。
【先行技術文献】
【特許文献】
【０００３】
【特許文献１】特許第３７６３１２９号公報
【発明の概要】
【発明が解決しようとする課題】
【０００４】
本発明はランドセルを背負う場合は肩ベルトを上方に向けて立てた状態を保持し背負いやすく、ランドセルを運んだり収納する場合は下方に向いた状態を保持しランドセルがコンパクトになるように肩ベルトが上下作動し、従来に比べ背負い心地と収納性の両立が図れるランドセルの肩ベルト取り付け装置を提供するものである
【課題を解決するための手段】
【０００５】
ランドセルに取り付けられたバックルを備え、上記バックルには肩ベルトを装着するための肩ベルト装着部が有り,
上記肩ベルト装着部には回動可能な第一のカムと上記第一のカムと互いに押し合うような弾性力が働くように構成された第二のカムを備え上記第一のカムには、肩ベルトの回動を第一のカムに伝えるための受け部が設けられている構成にした。
【発明の効果】
【０００６】
本発明によりランドセルを背負うときには背負いやすいようにランドセルに対して肩ベルトを上方に立てた状態で使用し、それ以外にランドセルのハンドルを持て移動したり、ランドセルを収納するときは、ランドセルに対して肩ベルトは下方に向かせて背板面に沿うようにコンパクトに収まり肩ベルトは邪魔にならないようにすることができるようになった。
【図面の簡単な説明】
【０００７】
【図１】肩ベルト取り付け装置全体平面図
【図２】バックル部組み付け部品図
【図３】バックル斜視図（裏面）
【図４】バックル平面図（表面）
【図５】バックル部カム大90°回動斜視図
【図６】カム大小斜視図
【図７】巻きバネを使用したバックル平面図
【発明を実施するための形態】
【０００８】
以下本発明の実施形態について説明する。肩ベルト取り付け具１００には図１の様に肩ベルトを取り付けるバックル１０が左右に対称的に設置されている。以下バックル１０に肩ベルト１０１を取りつけるベルト装着部について説明する。バックル１０のベルト装着部の構造にについて図２に示す。バックル１０には左右に腕１３を設け先端部には平行に相対する板状体１２が形成されている。板状体１２には軸４０が貫通するように長穴１１が設けてある。相対する板状体１２の間には中央にカム２０が設けられ、カム２０の両側にカム３０ａ及びカム３０ｂが取り付けられ、カム２０の穴２３とカム３０ａの穴３１ａと３０ｂの穴３１ｂ長穴１１を軸４０が貫通しバックル１０に取り付けられている。また軸４０の中央の溝４１にカム２０のスリット２２を通してＥリング５０が取り付けられることで軸４０がバックル１０より離脱することを防いでいる。上記の状態を詳しく表したものが図３図４である。
【０００９】
カム２０には受け部２１が設置されており肩ベルト１０１を取り付けた際に上記受け部２１が肩ベルト１０１の間に挟まれた状態になり、肩ベルト１０１を上下方向に回動させようとする力は受け部２１に伝わりカム２０が連動して回動するように構成されている。ここでカム２０とカム３０の構造について説明する。カム２０には左右に対称のカム面が設置してあり、上記カム２０には低い部分の凹部２４が２箇所と高い部分凸部２５が二箇所設けられ、またそれぞれをつなぐ斜面部２６が形成されている。また相対するカム３０ａ、カム３０ｂにはカム２０の上記カムのカム面と勘合するように、低い部分の凹部３３ａ、凹部３３ｂ高い部分の凸部３４ａ、凸部３４ｂ、斜面部３５ａ、斜面部３５ｂが形成されており図３の状態ではカム２０とカム３０ａ、カム３０ｂの斜面部２６と斜面部３５ａ、斜面部３５ｂは接している。またカム３０ａのカム面と反対側には突起部３２ａが設置されており長穴１２に勘合することでカム３０ａは軸４０に対して回動しない構造である。尚カム３０ｂのカム面の反対側も上記と同じ構造で有る。
【００１０】
肩ベルト１０１の上下回動について図３と図５で説明する。図３は安定した状態で、肩ベルト１０１は背負い易いようにランドセルに対して上方向に立っている状態である。次に肩ベルト１０１を折りたたむために下方向に回動させようとするとカム２０の受け部２１に力が伝わることでカム２０が回動を始める。その時カム３０ａの突起部３２ａが長穴１１に勘合して回動しないために凸部２５は斜面部３５ａに接触しながら凸部３４ａと接する。この時凸部３４ａと凹部３３ａの高低差の寸法分カム３０ａは外側に広がる動きをする。またカム３０ｂも上記同様の構成で有る。バックル１０は弾性を有した素材を使用しているため、左右に広がったカム３０ａ、カム３０ｂには板状体１２を外側に広げる力が発生し、その力が左右の腕１３を外側にたわませることになる。この状態が図５である。更にカム２０を回動させると再び図３の様に双方のカムが勘合することになる。
肩ベルト１０１の上下の動きに対する節度感の調整は、カム２０、カム３０ａ、カム３０ｂの凸と凹の寸法差を大きく取れば強くなり、バックル１０の素材の弾性力を高くすれば強くなる。またカムの斜面部２６及び斜面部３５ａ、斜面部３５ｂの角度をきつくすれば、回動角度に対して強くなり、反対に上記角度を緩くすれば弱くなる。
またそれぞれのカムの凸凹数を増やすことで多段階の節度感を有することも可能となる。
【００１１】
また上記の実施形態とは異なる実施形態を図７にて説明する。前記の実施形態では肩ベルトを回動させた時の力を回動軸の軸方向に広がる力に変換しその発生した反力によって回動の節度感を発生させている。上記は軸方向の力をバックル１０の腕１３の弾性力を利用して実現させたが、図７では左右のカム８０ａ、カム８０ｂの間に設置した巻きバネ９０が圧縮される反力を利用した例である。上記構造との違いは図２のカム２０の代わりに二つのカム８０ａとカム８０ｂがカム８０ａ、カム８０ｂの回動によってカム８０ａ、カム８０ｂが軸６０の軸方向の中心内側に移動するように構成させた。バックル１０は弾性を有しない素材とし軸６０は長穴１１を貫通しそれぞれ貫通した外側にてＥリング７０を取り付けることで軸６０はバックル１０から脱落しない。この構成の場合、肩ベルト１０１の回動の節度感の強さは巻きバネ９０の強度にて行うことが可能である。
【符号の説明】
【００１２】
１０・バックル、１１・長穴、１２・板状体、１３・腕、２０・カム、２１・受け部、２２・スリット、２３・穴、２４・凹部、２５・凸部、２６・斜面部、３０a・カム、３１a・穴、３２a・突起部、３３a・凹部、３４a・凸部、３５a・斜面部、３０b・カム、３１b・穴、３２b・突起部、３３b・凹部、３４b・凸部、３５b・斜面部,４０・軸、４１・溝、５０・Ｅリング、６０・軸、７０・Ｅリンング、８０ａ・カム、８０ｂ・カム、９０・巻きバネ、１００・肩ベルト取り付け具、１０１・肩ベルト
【要約】
【課題】
本発明はランドセルを背負ったりする場合は肩ベルトを上方に向けて立てた状態を保持し背負いやすく、ランドセルを運んだり収納する場合は下方に向いた状態を保持しランドセルがコンパクトになるように肩ベルトが作動し、従来に比べ背負い心地と収納性の両立が望まれている。
【解決手段】
ランドセルに取り付けられたバックルを備え、上記バックルには肩ベルトを装着するための肩ベルト装着部が設けられ。上記肩ベルト装着部には回動可能な第一のカムと第一のカムと互いに押し合うような弾性力が働くように構成された第二のカムを備え上記第一のカムには、肩ベルトの回動を第一のカムに伝えるための受け部が設けられている構成にした。
【選択図】  図３【図１】
0006712702.tif 000002
【図２】
0006712702.tif 000003
【図３】
0006712702.tif 000004
【図４】
0006712702.tif 000005
【図５】
0006712702.tif 000006
【図６】
0006712702.tif 000007
【図７】
0006712702.tif 000008